(57)【要約】【課題】  設置場所の雰囲気や趣きへの影響を最小限にする、吸引式火災検知装置用のサンプリングヘッド構造を提供する。【解決手段】  サンプリングヘッド構造は、空気を吸入するためのスリーブ孔と、煙粒子を検出するための本体と、前記スリーブ孔を介して吸入された空気中の煙粒子を前記本体まで導くためのサンプリング管と、を備え、前記煙粒子を検出して火災の発生を報知する吸引式火災検知装置用のサンプリングヘッド構造であって、火災の発生を監視する対象の空間の天井に形成され、天井裏から室内に連通する連通孔を有し、前記スリーブ孔が、室外側から前記連通孔に連通してなる。【選択図】図２
0003183951.tif 000002
【実用新案登録請求の範囲】
【請求項１】
空気を吸入するためのスリーブ孔と、煙粒子を検出するための本体と、前記スリーブ孔を介して吸入された空気中の煙粒子を前記本体まで導くためのサンプリング管と、を備え、前記煙粒子を検出して火災の発生を報知する吸引式火災検知装置用のサンプリングヘッド構造であって、
火災の発生を監視する対象の空間の天井に形成され、天井裏から室内に連通する連通孔を有し、
前記スリーブ孔が、室外側から前記連通孔に連通してなることを特徴とするサンプリングヘッド構造。
【請求項２】
前記連通孔は、前記天井を形成する材料同士の間に形成される隙間に連通するように設けられることを特徴とする請求項１に記載のサンプリングヘッド構造。
【請求項３】
前記連通孔は、前記天井を形成する材料同士の間に形成される隙間自体であることを特徴とする請求項１に記載のサンプリングヘッド構造。
【考案の詳細な説明】
【技術分野】
【０００１】
本考案は、火災を検知する吸引式火災検知装置用のサンプリングヘッド構造に関する。
【背景技術】
【０００２】
従来、火災検知装置の一つとして、火災時に発生する煙粒子を検知する煙検知方式の火災検知装置が知られている（例えば、特許文献１参照）。
煙検知方式の火災検知装置としては、サンプル空気取込み部と検知部とが一体となったタイプの装置と、セパレートタイプの装置とが知られている。例えば特許文献１に記載のように、セパレートタイプの装置は、監視領域に連通するサンプリング用の空気導入口（サンプリングヘッド）と、空気中の煙粒子を検出する装置本体と、サンプリングヘッドにて吸入した空気を装置本体まで導くサンプリング管とを備える。このようにサンプリングヘッドからサンプル空気を吸引して本体で煙を検出するタイプの煙検知装置を吸引式煙検知装置（又は吸引式煙検知システム）という。この場合のサンプリングヘッドの役割は、吸引するサンプル空気の量とサンプリング管に取付けた複数のサンプリングヘッド間の吸引量のバランスを取ることである。
【先行技術文献】
【特許文献】
【０００３】
【特許文献１】特開平０９−１４７２５５号公報
【考案の概要】
【考案が解決しようとする課題】
【０００４】
しかしながら、上記のような従来の火災検知装置は、セパレートタイプの装置であっても、サンプリングヘッドは目立ってしまう。
特に、博物館、美術館、歴史的建造物といったような施設においては、火災検知装置の設置（換言すればサンプリングヘッドの配設）によってそのような施設における雰囲気や趣きが壊されてしまう結果となってしまっていた。
【０００５】
本考案は、こうした問題に鑑みなされたものであり、設置場所の雰囲気や趣きへの影響を最小限にする、吸引式火災検知装置用のサンプリングヘッド構造を提供することを目的とする。
【課題を解決するための手段】
【０００６】
上記課題を解決するためになされた本考案は、空気を吸入するためのスリーブ孔と、煙粒子を検出するための本体と、前記スリーブ孔を介して吸入された空気中の煙粒子を前記本体まで導くためのサンプリング管と、を備え、煙粒子を検出して火災の発生を報知する吸引式火災検知装置用のサンプリングヘッド構造であって、火災の発生を監視する対象の空間の天井に形成され、天井裏から室内に連通する連通孔を有し、連通孔が、サンプリング管に接続していることを特徴とするサンプリングヘッド構造である。
【０００７】
かかる構造によれば、火災の発生を監視する対象の空間の天井面（室内側から認識できる面）に吸引式火災検知装置の本体、又はサンプリングヘッドであって目立ち設置場所の雰囲気や趣きに影響を与えるサンプリングヘッドを設けることなく、その対象の空間について火災の発生を監視することが可能である。即ち、吸引式火災検知装置を人目に触れないよう室外に配設した状態で、室外から、室内の空気を吸入して火災の発生を監視することができる。また、連通孔としては、天井板に直接小さな穴を開けることにより、或いは天井板同士の間に隙間が形成されている場合にはその隙間を活用して、目立たないものとすることができる。
【０００８】
またサンプリングヘッドは特定の形をしたものでなくても良く、例えば、天井板に直接開けた連通孔の天井裏に補強板を取付け、この補強板に穴を開けスリーブを通し、スリーブの穴と連通孔とを一体化した形態にてサンプリングヘッドを構成することもできる。
【０００９】
なお、上記のような補強板は、天井板に開けた穴とスリーブとの間に隙間が出来てしまい空気が漏れるようなことを防止する役割も果たす。
上記のような本考案によれば、火災の発生を監視する対象の空間の雰囲気や趣きを壊すことなく、火災の発生を監視することが可能である。
【００１０】
よって、本考案は、博物館、美術館、歴史的建造物、和室、茶室、寺院、古民家等、雰囲気や趣きが重視される施設に用いられることが好適である。
また、本考案では、連通孔が、天井を形成する材料同士の間に形成される隙間に連通するように設けられていても良い。換言すれば、天井の構造又は特徴に起因してその天井に形成され得る隙間に連通するように、連通孔が設けられていても良い。このような構造によれば、連通孔が、天井に形成される隙間と見た目において一体化し得る。このため、連通孔（即ち、サンプリングヘッドの孔）又はその連通孔に挿通するスリーブの先端がより目立たなくなる。従って、火災の発生を監視する対象の空間の雰囲気や趣きへの悪影響をより低減することが可能である。
【００１１】
また、本考案では、連通孔は、天井を形成する材料同士の間に形成される隙間自体であっても良い。
これによれば、天井の構造又は特徴に起因してその天井に形成され得る隙間を介して直接監視対象の空間の空気を吸入して火災の発生を監視することができる。この場合、天井にスリーブ等を配設するための構造を簡素化することができ、例えば、サンプリングヘッドの造り込みが容易になり得る。
【図面の簡単な説明】
【００１２】
【図１】実施形態の吸引式火災検知装置の概略構成を示す図である。
【図２】サンプリングヘッド構造の一例を示す図である。
【図３】格天井におけるサンプリングヘッド構造の一例を説明する図である。
【図４】竿淵天井におけるサンプリングヘッド構造の一例を説明する図である。
【図５】目透かし天井（敷目天井）におけるサンプリングヘッド構造の一例を説明する図である。
【図６】他の例の目透かし天井（敷目天井）におけるサンプリングヘッド構造の一例を説明する図である。
【図７】網代天井におけるサンプリングヘッド構造の一例を説明する図である。
【考案を実施するための形態】
【００１３】
以下、本考案の実施形態について図面を用いて説明する。なお、本考案は、下記の実施形態に何ら限定されることはなく、本考案の技術的範囲に属する限り種々の形態を採り得る。
【００１４】
図１は、本実施形態の吸引式火災検知装置１の概略構成を示す図である。
吸引式火災検知装置１は、監視対象となる領域又は空間（以下、監視領域と記載する）１０１，１０２における、火災の発生の有無を検知するための装置である。
【００１５】
吸引式火災検知装置１は、サンプリングヘッド２１，２２と、サンプリング管１３と、本体１５と、を備える。本体１５には、ブロア１４と、火災検知ユニット１６と、警報器１８と、が設けられている。また、火災検知ユニット１６には光学センサ１７が設けられている。
【００１６】
サンプリングヘッド２１，２２は、監視領域１０１，１０２中の空気を吸入するための部材の１つであり、スリーブ１１，１２は、サンプリング管１３と接続されている。
スリーブ１１，１２は、監視領域１０１，１０２の例えば天井に造り込まれる構造であって監視領域１０１，１０２中の空気の吸入を可能にするサンプリングヘッド２１，２２の一部をなす部材でもある。サンプリングヘッド２１，２２の詳細については後述する。
【００１７】
なお、図１では、監視領域１０１，１０２に対応して２つのサンプリングヘッド２１，２２が示されているが、監視領域は１つの場合や複数（３つ以上）の場合もあり、監視領域の数や広さに応じて、設けられるサンプリングヘッドの数は異なり得る。
【００１８】
サンプリング管１３は、サンプリングヘッド２１，２２を介して吸入される空気を火災検知ユニット１６に導くための管である。サンプリング管１３の一端はスリーブ１１，１２と接続しており、サンプリング管１３の他端は火災検知ユニット１６におけるブロア１４と接続している。
【００１９】
ブロア１４は、ファン１４ａを備えており、サンプリングヘッド２１，２２を介して監視領域１０１，１０２中の空気を吸入するための吸引力をファン１４ａの回転によって発生させる。
【００２０】
光学センサ１７は、光源と受光素子とを備えてなるセンサである。光学センサ１７は、光源から照射された光が火災検知ユニット１６内に導入された煙粒子によって反射される際の光（散乱光）を検出することによって、煙粒子を検出する。
【００２１】
警報器１８は、火災検知ユニット１６と接続されており、火災時に発生する煙粒子を検出した旨の信号を光学センサ１７から受信した場合に、音及び光により警報を発生する。なお、警報器１８は本体１５に内蔵されても良いし、本体１５と別筐体にて構成されても良い。
【００２２】
次に、吸引式火災検知装置１の作用について以下説明する。
監視領域１０１，１０２において、火災等に伴う煙粒子を含む空気が充満すると、その煙粒子を含む空気は、サンプリングヘッド２１，２２から吸入される。
【００２３】
サンプリングヘッド２１，２２から吸入された空気は、サンプリング管１３を介して火災検知ユニット１６に導入される。
空気中の煙粒子は光学センサ１７によって検出され、検出量が所定の閾値を超えると、その旨の信号が光学センサ１７から警報器１８に送出される。これにより、火災の発生が周囲に報知される。
【００２４】
次に、本考案にかかるサンプリングヘッド２１，２２の構造について具体的に説明する。
図２は、本実施形態のサンプリングヘッド２１，２２の構造の一例を説明する断面図である。なお、ここでは、説明の便宜上、サンプリングヘッド２１，２２のうち、一方のサンプリングヘッド２１について説明することとするが、サンプリングヘッド２２はサンプリングヘッド２１と同様の構成を採り得る。
【００２５】
図２（ａ）に示される野縁２０３は、天井板２０１，２０２を受ける部材（換言すれば、天井板２０１，２０２を固定するための部材）であり、天井裏において等間隔で配設されている。具体的には、天井板２０１，２０２及び他の天井板同士の継ぎ目部分を覆い得る間隔で配設される。
【００２６】
２枚の天井板２０１，２０２は、野縁２０３に固定されている。２枚の天井板２０１，２０２は、それらの継ぎ目（連通孔２１ａとして示される）が野縁２０３によって覆われるように、野縁２０３に固定される。通常、２枚の天井板２０１，２０２と野縁２０３との接触面はある程度密着しており、その接触面からの空気の漏れは生じにくい。なお、このような天井板２０１，２０２、及び野縁２０３の構成は、天井としての一般的な構成である。
【００２７】
サンプリングヘッド２１は、スリーブ１１と、野縁２０３に形成された取付孔２１ｂと、前述の連通孔２１ａとを含む。
取付孔２１ｂ及び連通孔２１ａは互いに連通しており、また、連通孔２１ａは、室内側（監視領域１０１、図１参照）に連通している。
【００２８】
取付孔２１ｂは、スリーブ１１を取り付けることが可能な径に形成されている。好ましくは、スリーブ１１が取付孔２１ｂにしっかりと固定され得るように、取付孔２１ｂの径はスリーブ１１の外径よりごく僅かに大きい程度が良い。即ち、スリーブ１１が嵌め合いにより取付孔２１ｂに固定されると良い。なお、取付孔２１ｂは、ドリル等によって形成されることが想定される。
【００２９】
連通孔２１ａは、天井板２０１，２０２の継ぎ目を活用しても良いが、新たに形成された孔であっても良い。この場合、連通孔２１ａの径は、目立たないようにごく小さくて良い。
【００３０】
図２（ｂ）には、サンプリングヘッド２１の他の例が示される。
図２（ｂ）の例は、図２（ａ）の例と比較して、筒部材２３が設けられている点が異なっている。
【００３１】
筒部材２３は、連通孔２４を有する。連通孔２４は、連通孔２１ａと連通している。
筒部材２３は、連通孔２４がスリーブ１１（図２（ｂ）では図示省略）と連通するようにスリーブ１１と接続される部材であってもよい。また、筒部材２３は、吸引式火災検知装置１におけるスリーブ１１を兼ねても良い（換言すれば、スリーブ１１に代えて筒部材２３が用いられても良い）。
【００３２】
図３は、格天井におけるサンプリングヘッド２１の構造の一例を説明する図である。
図３（ａ）は、格天井を室内側から見た図である。
図３（ｂ）は、格天井の一部を拡大した図であり、図３（ｃ）は連通孔２１ａ部分のさらなる拡大図（Ａ部拡大図）である。
【００３３】
図３（ｄ）はサンプリングヘッド２１の構造の一例を示す断面図である。格天井は、角材を格子状に組み、その上に板を張ってなる天井である。格子状の組み木は格縁と称され、格縁で囲まれた部分は格間と称される（図３（ａ），（ｂ）参照）。
【００３４】
本例では、図３（ｂ）〜（ｄ）に示されるように、格間の角部に、連通孔２１ａが形成される。格間の角部とは、換言すれば格間をなす正方形状の部分の角部である。連通孔２１ａは、格縁になるべく近接して形成されることが好ましい。つまり、格縁が形成する角（格縁の内側の角）に近接させると良い。連通孔２１ａは、目立たないようなごく小さい孔であれば良い。
【００３５】
図３（ｄ）に示されるように、格縁の上には、天井板同士の継ぎ目がちょうどその格縁の上部に位置するように、天井板２０１，２０２が配設されている。２枚の天井板２０１，２０２の上部には、さらに当て木２０４が配設されている。当て木２０４は、２枚の天井板２０１，２０２の継ぎ目を上から覆うように配設される。
【００３６】
サンプリングヘッド２１は、スリーブ１１と、連通孔２１ａと、取付孔２１ｂとを含む。取付孔２１ｂは、当て木２０４及び天井板２０２を貫いて、連通孔２１ａと連通するように設けられている。取付孔２１ｂにスリーブ１１が取り付けられる点においては、図２の例と同様である。
【００３７】
図３の例では、連通孔２１ａが、格間の角部であって、格縁の内側の角に近接した部分に設けられることによって、その連通孔２１ａをより目立たなくすることが可能である。このため、サンプリングヘッド２１を造り込んだ場合においても、格天井の雰囲気や趣きを壊すことを回避し得る。
【００３８】
一方、連通孔２１ａに連通する取付孔２１ｂに、天井裏側からスリーブ１１を挿入して固定することによって、スリーブ１１が室内側から見えない状態で、室内の空気を吸入することができ、火災時の煙粒子を問題なく検知することができる。
【００３９】
図４は、竿淵天井におけるサンプリングヘッド２１，２２の構造の一例を説明する図である。
図４（ａ）は、竿淵天井を室内側から見た図である。
【００４０】
図４（ｂ）は竿淵天井の一部を拡大した図であり、図４（ｃ）は空隙３０部分のさらなる拡大図（Ｂ部拡大図）である。図４（ｄ），（ｅ）はサンプリングヘッド２１の構造の一例を示す断面図である。なお、図４（ｅ）は図４（ｄ）におけるＸ−Ｘ断面図である。
【００４１】
竿淵天井は、天井竿を所定方向に沿って張り、その上に板（以下、天井板）を張ってなる天井である。
本例では、図４（ｂ）〜（ｄ）に示されるように、隣り合う２枚の天井板２０１，２０２を重ね合わせ、重畳する部分に空隙３０を形成するように構成されている。
【００４２】
より具体的には、図４（ｃ），（ｄ）に示されるように、２枚の天井板２０１，２０２を重ね、一方の天井板２０２が、やや変形しつつ他方の天井板２０１に対して乗り上げるように構成されている。この場合、天井板２０２が天井板２０１に対して乗り上げる部分において、天井板２０２は、乗り上がる分だけ天井竿からやや離間する。これにより、天井板２０２が天井竿からやや離間した部分に、僅かな空隙３０が形成される。
【００４３】
なお、天井板２０２のうち、天井板２０１に乗り上がる部分は、天井板２０１との高さの差をなるべく小さくするため、及び変形しやすくするため、という目的の観点から、薄く加工されても良い。
【００４４】
そして、サンプリングヘッド２１は、図４（ｄ）に示されるように、スリーブ１１と、前述の空隙３０と、補強部材２５と、補強部材２５に形成された取付孔２１ｂと、天井板２０２に形成された連通孔２１ａと、を含む。
【００４５】
補強部材２５に形成された取付孔２１ｂと、天井板２０２に形成された連通孔２１ａとは、互いに連通するように設けられる。
なお、補強部材２５は、スリーブ１１の取り付け強度を確保するために必要に応じて設けられる。例えば、天井板２０２の厚みが、スリーブ１１を配設するための厚みとしては不足している場合には、補強部材２５を設けて、その補強部材２５に前述のように取付孔２１ｂを形成してスリーブ１１を配設すれば良い。
【００４６】
このような本例では、空隙３０は天井竿に沿ってわずかな空間をなすだけであり、一目では容易には認識できない空隙となっている。このため、サンプリングヘッド２１を造り込んだ状態において、空隙３０は目立つものではなく、連通孔は竿に隠れて見えない場所に有るため竿淵天井の雰囲気や趣きを壊すことがない。
【００４７】
一方、その空隙３０と連通可能に、天井裏側からスリーブ１１を配設し得るため、煙粒子を問題なく検知することができる。
図５は、目透かし天井（敷目天井）におけるサンプリングヘッド２１の構造の一例を説明する図である。
【００４８】
図５（ａ）は、目透かし天井（敷目天井）を室内側から見た図である。図５（ｂ）は、図５（ａ）におけるＣ部の詳細図であり、具体的にはサンプリングヘッド２１の構造の一例を示す断面図である。
【００４９】
目透かし天井（敷目天井）は、天井板が張られてなるものであるが、板材と板材との間に隙間が設けられている。ただし、板材同士は、接続部材４０を介して接続され（図５（ｂ）参照）、板材同士の間の隙間は、接続部材４０によって塞がれ得る。
【００５０】
サンプリングヘッド２１は、スリーブ１１と、接続部材４０に形成される取付孔２１ｂと、取付孔２１ｂのさらに先端側（室内側）に形成される連通孔２１ａとを含む。
取付孔２１ｂ及び連通孔２１ａは、天井板２０１，２０２同士の間の隙間の上部に位置するように形成される。
【００５１】
そして、連通孔２１ａは、図５（ｂ）に示されるように、天井板２０１，２０２同士の間の隙間に連通している。
スリーブ１１は、天井裏側から、取付孔２１ｂに挿通されて固定される。
【００５２】
このような本例では、目透かし天井（敷目天井）においてもともと形成される天井板同士の間の隙間に連通孔２１ａが連通するように構成され、これにより、連通孔２１ａが天井板同士の間の隙間と見た目において一体化する。このため、連通孔２１ａをより目立たなくすることが可能である。さらに、連通孔２１ａの端部は、天井板同士の間の隙間からやや上方に入り込んだ部分に位置し得るため、一見しただけでは連通孔２１ａの端部を認識することは困難である。このため、サンプリングヘッド２１を造り込んだ状態において、目透かし天井（敷目天井）の雰囲気や趣きを壊すことがない。
【００５３】
一方、スリーブ１１を天井裏側から取付孔２１ｂに挿入して固定することができ、これにより室内の空気を吸入して煙粒子を問題なく検知することができる。
図６は、他の例の目透かし天井（敷目天井）におけるサンプリングヘッド構造の一例を説明する図である。図６に示される目透かし天井（敷目天井）では、天井竿が一本張られている。
【００５４】
図６（ａ）は、目透かし天井（敷目天井）を室内側から見た図である。
図６（ｂ）は、図６（ａ）におけるＤ部の詳細図であり、図６（ｃ）図６（ｂ）におけるＹ−Ｙ断面図である。換言すれば、図６（ｂ），（ｃ）はサンプリングヘッド２１の構造の一例を示す断面図である。
【００５５】
図６（ｄ）は、船底天井と称されるタイプの目透かし天井（敷目天井）を示す図である。
本例では、天井板同士の間の隙間（天井板２０１，２０２の間の隙間：図６（ｂ）参照）と、天井竿とが交差する部分に合わせて、サンプリングヘッド２１が造り込まれる。
【００５６】
天井板２０１，２０２の間の隙間の上部には野縁２０３が配設されている（換言すれば、天井板２０１，２０２は、野縁２０３に固定されている）。
サンプリングヘッド２１は、図６（ｂ），（ｃ）に示されるように、スリーブ１１と、野縁２０３に形成された取付孔２１ｂと、連通孔２１ａとを含む。取付孔２１ｂと連通孔２１ａとは互いに連通している。
【００５７】
連通孔２１ａは、天井板２０１，２０２の間の隙間に連通している。
そして、この場合、連通孔２１ａは、天井板２０１，２０２の厚み分だけ間を空けて、天井竿によって覆われることとなる。
【００５８】
このため、一見しただけでは室内側から連通孔２１ａを認識することは困難となっている。よって、サンプリングヘッド２１を造り込んだ状態において、目透かし天井（敷目天井）の雰囲気や趣きを壊すことがない。
【００５９】
なお、図６に示される種類の目透かし天井（敷目天井）としては、天井竿が張られた真ん中の部分が最も高くなっている船底天井と称されるタイプ（図６（ｄ）参照）の天井も知られている。このタイプの天井についても、図６（ａ）〜（ｃ）について説明した構成と同様の構成を採用し得る。
【００６０】
図７は、網代天井におけるサンプリングヘッド構造の一例を説明する図である。
図７（ａ）は、網代天井を室内側から見た図である。図７（ｂ）は、連通孔２１ａ部分のさらなる拡大図（Ｅ部拡大図）である。
【００６１】
図７（ｃ）は、サンプリングヘッド２１の構造の一例を示す断面図である。
網代天井は、杉皮、桧皮、竹の皮等を、模様をなすように編んで形成したものであり、種々の模様のものが知られている。
【００６２】
天井裏には、天井材２０６を配設するための野縁２０３が配設されており、天井材２０６は野縁２０３に固定される（図７（ｃ）参照）。
図７（ｃ）に示されるように、サンプリングヘッド２１は、スリーブ１１と、野縁２０３に形成された取付孔２１ｂと、野縁２０３の一部及び天井材２０６を貫通する連通孔２１ａとを含む。
【００６３】
取付孔２１ｂと連通孔２１ａとは互いに連通している。
また、連通孔２１ａは、天井材の材料が交差している箇所に形成される（図７（ｂ）参照）。これによれば、連通孔２１ａは、材料が交差してなす模様と一体化し得る。このため、連通孔２１ａを目立たなくすることが可能である。よって、サンプリングヘッド２１を造り込んだ状態において、網代天井の雰囲気や趣きを壊すことがない。
【００６４】
以上、本考案の一実施形態について説明したが、本考案は、他のタイプの天井にも適用することができる。例えば、折上天井、掛け込み天井、勾配天井、など、天井の形状やタイプを問わず、本実施形態において説明したような手法を適用してサンプリングヘッド２１を配設しても良い。
【００６５】
また、上記実施形態において、スリーブ１１，１２の長さや径は、サンプリングヘッド２１，２２の構造との兼ね合いで、どのように設定されても良い。
また、サンプリングヘッド２１，２２における取付孔２１ｂの形状や径は、スリーブ１１，１２の形状に合わせて適宜決定され、造り込まれ得る。
【符号の説明】
【００６６】
１・・・吸引式火災検知装置、１１，１２・・・スリーブ、１３・・・サンプリング管、１４・・・ブロア、１５・・・本体、１６・・・火災検知ユニット、１７・・・光学センサ、１８・・・警報器、２１，２２・・・サンプリングヘッド、２１ａ・・・連通孔、２１ｂ・・・取付孔。
【図１】
0003183951.tif 000003
【図２】
0003183951.tif 000004
【図３】
0003183951.tif 000005
【図５】
0003183951.tif 000006
【図６】
0003183951.tif 000007
【図７】
0003183951.tif 000008
【図４】
0003183951.tif 000009